(57)【要約】【課題】コンパクトＰＣＩのように異なる２つのシステムからなる電子機器装置においては、システムの異常検出はそれぞれのシステムに搭載された多目的機能部によって行われている。【解決手段】２つのシステムのうち、一方のシステムにのみ多目的機能部（異常検出部）を搭載し、装置に共通する部分の異常にたいしては両システムが連携して異常処理を実行するようにしたものである。【選択図】  図１
2005275818.tif 000002
【特許請求の範囲】
【請求項１】
一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第１システムの異常発生時に通信手段を介して第２システムのアプリケーションに対しシャットダウン命令を出力し、この命令に基づいて第２システムではシャットダウン処理を実行して第１システムにシャットダウン処理完了通知し、この第１システムにてシャットダウン処理を開始して電子機器装置の電源断を実行することを特徴とした電子機器装置のシャットダウン方法。
【請求項２】
一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第２システムでは、第１システムよりの定期的正常信号が途絶えたことを検知して異常発生と判断し、自システムでのシャットダウン処理及び電子機器装置の電源断を実行することを特徴とした電子機器装置のシャットダウン方法。
【請求項３】
一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第１システムでは、第２システムよりの定期的正常信号の受信完了信号の有無を判断し、完了信号の発行なし時に第１システムでシャットダウン処理及び電子機器装置の電源断を実行することを特徴とした電子機器装置のシャットダウン方法。
【発明の詳細な説明】
【技術分野】
【０００１】
本発明は、２つのＣＰＵモジュールが１つの筺体内に実装された電子機器装置のシャットダウン方法に関するものである。
【背景技術】
【０００２】
例えば、コンパクトＰＣＩ（Peripheral Component Interface）では、図５で示すように１つの筺体１０内に２つのシステム１，２が実装され、各システム１，２にはそれぞれ個別で動作するシステムＯＳが搭載されている。このような電子機器装置においては、電源や冷却用のファン、バッテリー及びその他入力が想定されるハードウェアのような両システムに共通な部品が搭載されており、このシステム共通部分に異常が発生した場合には、シャットダウン処理を実行するための専用のハードウェアが設けられている。
【０００３】
なお、システム１，２には、それぞれシステムコンピュータ３，５と多目的機能部４，６を有している。多目的機能部とは、ＲＡＳ（Reliability Availability Serviceability）モジュールに相当するもので、異常信号を検知したモジュールにて各々シャットダウン処理を行う。すなわち、ここでの多目的機能部とは、筺体１０に含まれるハードウェアの異常を検知する機能をもったものを指す。
コンピュータにおけるＲＡＳ機能をもったシステムとしては、特許文献１のようなものが公知となっている。  
【特許文献１】特開平１０−２８９１３０号公報
【発明の開示】
【発明が解決しようとする課題】
【０００４】
従来においては、各システム毎にそれぞれ搭載した多目的機能部４，６が、それぞれ個別に各システムの異常検知を実施しているため部品搭載点数が多くなり、且つコスト的にも問題を有している。
なお、特許文献１のものには、コンピュータ停止の原因が外来ノイズであったかどうかを判断することが記載されている。  
【０００５】
したがって、本発明が目的とするところは、１つの装置に２つのシステムを有する電子機器装置において多目的機能部を１個とし、互いにシャットダウン通知を連動させるシャットダウン方法を提供することにある。
【課題を解決するための手段】
【０００６】
本発明の第１は、一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第１システムの異常発生時に通信手段を介して第２システムのアプリケーションに対しシャットダウン命令を出力し、この命令に基づいて第２システムではシャットダウン処理を実行して第１システムにシャットダウン処理完了通知し、この第１システムにてシャットダウン処理を開始して電子機器装置の電源断を実行することを特徴としたものである。
【０００７】
本発明の第２は、一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第２システムでは、第１システムよりの定期的正常信号が途絶えたことを検知して異常発生と判断し、自システムでのシャットダウン処理及び電子機器装置の電源断を実行することを特徴としたものである。
【０００８】
本発明の第３は、一つの筺体内に通信手段にて接続された異なる２つのシステムを収納し、定期的に第１のシステムから第２のシステムに正常信号の発行受信を行い、第２のシステムから第１システムに受信完了通知を行うよう構成されたものにおいて、
前記第１システムはシステムコンピュータと多目的機能部を設け、第２システムにはシステムコンピュータを設けて構成すると共に、前記第１システムでは、第２システムよりの定期的正常信号の受信完了信号の有無を判断し、完了信号の発行なし時に第１システムでシャットダウン処理及び電子機器装置の電源断を実行することを特徴としたものである。
【発明の効果】
【０００９】
以上のとおり、本発明によれば、一つの筺体内に通信手段介して接続された異なる２つのシステムを収納した電子機器装置において、装置に共通する異常検知装置（多目的機能部）を第１システム側にのみ設け、装置に共通する部分の異常に対しては両システムが連携して異常処理を行うものであるから、部品点数の縮減を可能とし、装置の小型化やコスト的にも有利なものとなる利点を有するものである。
【発明を実施するための最良の形態】
【００１０】
図１は本発明の実施例を示す構成図で、図５と同一部分若しくは相当部分には同一符号を付している。すなわち、図１ではシステム２の多目的機能部が除去されている。システムコンピュータ３，５であるプログラマブルコントローラＰＣは、その基本構成として電源モジュール、他のコンピュータ等との通信を行う通信モジュール、ＯＳに基づいてアプリケーションプログラムを実行する信号処理機能及びローカルＩ／Ｏモジュール等を備えている。３１及び５１は、上記機能の中の通信モジュールで、各通信モジュール３１，５１間の接続手段としてネットワーク接続して構成した場合のものである。接続手段としては、この他、バックプレーンに専用の配線を行ったり、システムコンピュータが有する汎用ＤＩＤＯ間でそれぞれ接続するよう構成してもよいことは勿論である。
【００１１】
通信手段によって接続されたシステム１とシステム２間において、システム１によって異常を検知してその信号を通知し、通知された異常信号に基づいてシステム２側で検知を行う。この検知方法は各々専用のアプリケーションにて行う。
また、システム１からシステム２に対するアプリケーションは、定期的に正常信号の発行受信を行う。システム２からシステム１へは受信完了通知を行う。
【００１２】
システム１で、ハードウェア故障、ＯＳ停止等のソフトウェア故障のように何らかの理由で異常信号がシステム２側に通知できないような状態が生じた場合には、システム２側アプリケーションにて異常と判断してシステムのシャットダウン処理を実行する。
同様に、システム２側で何らかのトラブルにより正常信号の受信ができず、受信完了通知が発行されなかった場合、システム１側アプリケーションにて異常と判断してシステムのシャットダウン処理を行う。
【００１３】
図２は第１の実施例の動作フローを示し、両システムはネットワーク接続されているときの電子機器装置（筺体）のハードウェア故障を想定したものである。システム１ではステップＳ１において異常が検知されたとき、システム２のアプリケーションに対して通信手段を介してシャットダウンを通知する（Ｓ２）。ステップＳ３において、システム２側でシャットダウン命令を検知したとき、このシステム２ではシャットダウン処理を実行すると共に、Ｓ４でシステム１に対してシャットダウン処理完了信号を発行する。システム１では、Ｓ５で処理完了信号を受信するとシャットダウン及び電子機器装置１０の電源断あるいはリスタートを行う。
【００１４】
図３は第２の実施例を示したものである。通常はシステム１からシステム２に対して定期的に正常信号を送出し、システム２からは受信完了信号を返送している（Ｓ１０）。Ｓ１１において、何らかの理由によってハードウェアに故障が発生し、システム１側よりの定期的な正常信号の発行受信がないことをシステム２側にて検知したとき、システム１側に異常が発生したと判断してシステム２はＳ１２で自システムのシャットダウン及び電子機器装置１０の電源断あるいはリスタートを実行する。
【００１５】
図４は第３の実施例を示したものである。システム１からシステム２に対して定期的に正常信号を送出し、システム２からは受信完了信号を返送している（Ｓ２０）。このとき、システム１側において返送されるべきシステム２からの受信完了通知が発行されてないことを検知（Ｓ２１）した場合、システム２側の異常と判断してシステム１はＳ２２で自システムのシャットダウン及び電子機器装置１０の電源断あるいはリスタートを実行する。
【図面の簡単な説明】
【００１６】
【図１】本発明の実施形態を示す構成図。
【図２】第１の実施形態時の動作フロー図。
【図３】第２の実施形態時の動作フロー図。
【図４】第３の実施形態時の動作フロー図。
【図５】従来の電子機器装置（ＰＣＩ）の構成図。
【符号の説明】
【００１７】
１，２…システム  
３，５…システムコンピュータ（プログラマブルコントローラ）  
４，６…多目的機能部  
３１，５１…通信手段  
【図１】
2005275818.tif 000003
【図２】
2005275818.tif 000004
【図３】
2005275818.tif 000005
【図４】
2005275818.tif 000006
【図５】
2005275818.tif 000007